【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
コンディショニングされた関与体を用いて物理的触媒を増大することにより電池反応系を方向付ける方法であって、以下の：
電池反応系に少なくとも一つのコンディショニングされた関与体を、適用及び導入の少なくとも一方を行い、
物理的触媒を電池反応系に導入する
過程を包含する方法。
【請求項２】
コンディショニングされた関与体とスペクトルエネルギー触媒を用いて物理的触媒を増大することにより電池反応系を方向付ける方法であって、以下の：
電池反応系に少なくとも一つのコンディショニングされた関与体を、適用及び導入の少なくとも一方を行い、
十分な強度で、十分な期間、少なくとも一つのスペクトルエネルギー触媒を適用して、少なくとも部分的に電池反応系を触媒し、そして
物理的触媒を電池反応系に導入する
過程を包含する方法。
【請求項３】
コンディショニングされた関与体とスペクトルエネルギー触媒とスペクトル環境反応条件を用いて物理的触媒を増大することにより電池反応系を方向付ける方法であって、以下の：
電池反応系に少なくとも一つのコンディショニングされた関与体を、適用及び導入の少なくとも一方を行い、
反応経路を触媒するのに十分な強度で十分な期間、少なくとも一つのスペクトルエネルギー触媒を適用し、
反応経路を触媒するのに十分な強度で十分な期間、少なくとも一つのスペクトル環境反応条件を適用し、該少なくとも一つのコンディショニングされた関与体と、該少なくとも一つのスペクトルエネルギー触媒と、少なくとも一つのスペクトル環境反応条件とのいずれかが同時に適用される時に、それらは適用スペクトルエネルギーパターンを生成し、そして
物理的触媒を電池反応系に導入する
過程を包含する方法。
【請求項４】
適用スペクトルエネルギーコンディショニングパターンと、スペクトルエネルギーコンディショニング触媒との少なくとも一つにより電池反応系に用いるコンディショニング可能関与体をコンディショニングする方法であって、以下の：
コンディショニング可能関与体をコンディショニングするのに十分な強度で十分な期間、少なくとも一つの適用スペクトルエネルギーコンディショニングパターンを適用し、
該少なくとも一つの適用スペクトルエネルギーコンディショニングパターンは、触媒スペクトルエネルギーコンディショニングパターン、触媒スペクトルコンディショニングパターン、スペクトルコンディショニング触媒、スペクトルエネルギーコンディショニング触媒、スペクトルエネルギーコンディショニングパターン、スペクトルコンディショニング環境反応条件及びスペクトルコンディショニングパターンからなる群の中から選ばれた少なくとも一つのメンバーである
過程を包含する方法。
【請求項５】
コンディショニングされた関与体を用いて電池反応系に影響を与える方法であって、以下の：
該電池反応系の少なくとも一つの初期反応物のスペクトルエネルギーパターンの少なくとも一部を決定し、
該電池反応系の少なくとも一つの反応生成物のスペクトルエネルギーパターンの少なくとも一部を決定し、
該少なくとも一つの反応物と該少なくとも一つの反応生成物スペクトルエネルギーパターンから追加スペクトルエネルギーパターンを計算して、必要なコンディショニングされた関与体を決定し、
必要なスペクトルエネルギーコンディショニング触媒の少なくとも一部を生成し、
コンディショニング可能関与体に該必要なエネルギーコンディショニング触媒の少なくとも一部を適用することにより所望のコンディショニングされた関与体を形成し、
コンディショニングされた関与体を電池反応系に導入することにより少なくとも一つの反応生成物を生成する
過程を包含する方法。
【請求項６】
コンディショニングされた関与体を用いて電池反応系に影響を与える方法であって、以下の：
少なくとも一つのスペクトルコンディショニングパターンを用いてコンディショニング反応系の少なくとも一つのコンディショニング可能関与体をターゲッティングして、少なくとも一つのコンディショニングされた関与体の生成、刺激、安定化の少なくとも一つを引き起こし、
電池反応系に少なくとも一つのコンディショニングされた関与体を、適用及び導入の少なくとも一方を行い、その結果、該電池反応系に少なくとも一つの所望の反応生成物をもたらす
過程を包含する方法。
【請求項７】
コンディショニングされた関与体を用いて電池反応系を触媒して少なくとも一つの反応生成物をもたらす方法であって、
十分な期間で、十分な強度で、少なくとも一つのスペクトルエネルギーコンディショニングパターンを適用して、少なくとも一つのコンディショニングされた関与体の生成、刺激、安定化の少なくとも一つを引き起こし、その結果として、該コンディショニングされた関与体が該電池反応系と通じると、反応生成物がもたらされることを特徴とする方法。
【請求項８】
コンディショニングされた関与体と少なくとも一つのスペクトル環境反応条件を用いて電池反応系を方向付ける方法であって、以下の：
電池反応系に少なくとも一つのコンディショニングされた関与体を、適用及び導入の少なくとも一方を行い、
少なくとも一つのスペクトル環境反応条件を該電池反応系に適用し、少なくとも一つの過渡体と少なくとも一つの中間体の少なくとも一つの生成、刺激、安定化の少なくとも一つを引き起こし、少なくとも一つの所望の反応生成物の生成を可能にする
過程を包含する方法。
【請求項９】
少なくとも一つのコンディショニングされた関与体をもたらすスペクトルエネルギーコンディショニングパターンを用いて電池反応系にコンディショニングされた関与体を生成する方法であって、
少なくとも一つのコンディショニング可能関与体周波数にヘテロダイン効果を起こす少なくとも一つの周波数を適用し、電池反応系に少なくとも一つのコンディショニングされた関与体の生成、刺激、安定化のうち少なくとも一つを引き起こすことを特徴とする方法。
【請求項１０】
少なくとも一つのコンディショニングされた関与体をもたらすスペクトルエネルギーコンディショニングパターンを用いて電池反応系にコンディショニングされた関与体を生成する方法であって、
十分な数の周波数と場の少なくとも一方を適用して、適用されたスペクトルエネルギーコンディショニングパターンをもたらし、該適用スペクトルエネルギーコンディショニングパターンは電池反応系に少なくとも一つのコンディショニングされた関与体を生成することを特徴とする方法。
【請求項１１】
少なくとも一つのコンディショニングされた関与体をもたらすスペクトルエネルギーコンディショニング触媒により電池反応系にコンディショニングされた関与体を生成する方法であって、
電池反応系に導入される前の少なくとも一つのコンディショニング可能関与体をターゲットにして、少なくとも一つの周波数及び少なくとも一つの場の少なくとも一つでコンディショニングしてコンディショニングされた関与体を生成すること、該少なくとも一つのコンディショニングされた関与体が生成すると、該コンディショニングされた関与体が該電池反応系に導入されると、少なくとも一つの過渡体及び少なくとも一つの中間体の少なくとも一つの生成をもたらすことを特徴とする方法。
【請求項１２】
少なくとも一つの反応生成物をもたらすコンディショニングされた関与体で電池反応系を触媒する方法であって、
少なくとも一つのスペクトルエネルギーコンディショニング触媒をターゲットにコンディショニングすることにより、該電池反応系の少なくとも一つの反応が開始されて、少なくとも一つの過渡体、少なくとも一つの中間体および少なくとも一つの反応性生物の少なくとも一つを該電池反応系で生成するときに、該電池反応系に存在する少なくとも一つのコンディショニング可能関与体を生成させることを特徴とする方法。
【請求項１３】
電池反応系を所望の反応経路に沿って方向付ける方法であって、少なくとも一つのコンディショニングターゲットのアプローチを少なくとも一つのコンディショニング可能関与体に適用し、該少なくとも一つのコンディショニングターゲットのアプローチは、直接共振コンディショニングターゲッティング、調波コンディショニングターゲッティング、非調波ヘテロダインコンディショニングターゲッティングよりなる群の中から選ばれたものであることを特徴とする方法。
【請求項１４】
電池反応系の少なくとも一つのコンディショニング可能関与体をコンディショニングする方法であって、
少なくとも一つのコンディショニング周波数を少なくとも一つのコンディショニング可能関与体に適用し、少なくとも一つのコンディショニングされた関与体の生成、刺激、安定化の少なくとも一つを引き起こし、該少なくとも一つの周波数は、直接共鳴コンディショニング周波数、調波共鳴コンディショニング周波数、 非調波ヘテロダインコンディショニング共鳴周波数、電子コンディショニング周波数、振動コンディショニング周波数、回転コンディショニング周波数、回転-振動コンディショニング周波数、微細分割(splitting)コンディショニング周波数、超微細分割コンディショニング周波数、電場分割コンディショニング周波数、磁場コンディショニング分割周波数、サイクロ（登録商標）トロン共鳴コンディショニング周波数、軌道コンディショニング周波数、核コンディショニング周波数よりなる群の中から選ばれた少なくとも一つの周波数から成ることを特徴とする方法。
【請求項１５】
コンディショニングされた関与体を用いて電池反応系を所望の反応経路に沿って方向付ける方法であって、
少なくとも一つのコンディショニング周波数と少なくとも一つの場の少なくとも一方を適用し、該電池反応系の該少なくとも一つのコンディショニングされた関与体のスペクトルエネルギーパターンを、該電池反応系の少なくとも一つの関与体と少なくとも一つの他の成分よりなる群の中から選ばれた少なくとも一つのメンバーのスペクトルエネルギーパターンと少なくとも一部オーバーラップさせ、該少なくとも一つのコンディショニングされた関与体と該少なくとも一つのメンバーとの間のエネルギー転移を可能にすることを特徴とする方法。
【請求項１６】
少なくとも一つの反応生成物をもたらすコンディショニングされた関与体を用いて電池反応系の触媒方法であって、
少なくとも一つのスペクトルエネルギーコンディショニングパターンを少なくとも一つのコンディショニング可能関与体に適用して、少なくとも一つのコンディショニングされた関与体を生成し、該電池反応系の該少なくとも一つのコンディショニングされた関与体のコンディショニングされたスペクトルエネルギーパターンを、該電池反応系の少なくとも一つの他の関与体と少なくとも一つの成分よりなる群の中から選ばれた少なくとも一つのメンバーのスペクトルエネルギーパターンと少なくとも一部オーバーラップさせ、該少なくとも一つのコンディショニングされた関与体と該少なくとも一つのメンバーとの間のエネルギー転移を可能にし、それにより少なくとも一つの反応生成物の生成を引き起こすことを特徴とする方法。
【請求項１７】
少なくとも一つの反応生成物をもたらすコンディショニングされた関与体による電池反応系の触媒方法であって、
少なくとも一つの周波数と少なくとも一つの場の少なくとも一方を適用し、少なくとも一つのコンディショニングされた関与体のコンディショニングスペクトルエネルギーパターンの拡大化を引き起こし、電池反応系のコンディショニングされた関与体と少なくとも一つの他の関与体との間でのエネルギーの移転を引き起こし、その結果、該電池反応系の少なくとも一つのコンディショニングされた関与体と少なくとも一つの他の関与体の少なくとも一つの変換をもたらすことを特徴とする方法。
【請求項１８】
少なくとも一つのコンディショニングされた関与体と少なくとも一つのスペクトル環境反応条件を利用し電池反応系の反応経路を方向付ける方法であって、
該コンディショニングされた関与体を含む電池反応系を形成し、少なくとも一つのスペクトル環境反応条件を適用することにより、該電池反応系を所望の反応経路に沿って方向付けることを特徴とする方法。
【請求項１９】
電池反応系で使用されるための触媒がそれまで存在しなかった電池反応系において、一旦コンディショニングされると触媒として使用されるコンディショニング可能関与体の設計方法であって、
所望の反応経路を得るために必要スペクトルパターンを決定し、
コンディショニング可能関与体が必要なスペクトルエネルギーコンディショニングパターンに曝された時に、必要なスペクトルパターンを近似するコンディショニングスペクトルパターンを示す少なくとも一つのコンディショニング可能関与体を設計することを特徴とする方法。
【請求項２０】
電池反応系が、アルカリ電池、蓄電池、コンデンサー、電池、濃縮電池、乾電池、電気化学電池、電解電池、燃料電池、ガルバニック電池、鉛酸電池、光電気化学電池のいずれか一つのメンバーを含む請求項１〜１９のいずれか１項に記載の方法。
【請求項２１】
電池反応系が、陽極保護、陽極酸化、食塩電解、腐食、誘電蓄積、電気分析化学、電気的結晶化、電気鋳造、電解、電解コンデンサ、電解ピックリング、電気冶金、エレクトロマイグレーション、電気泳動、電解めっき、電解精錬、電気坑口(electrowinning)、ガルバナイジング、加水分解、間接加水分解、電磁化学、光電子化学、光電子合成、音電子化学のいずれかのプロセスの少なくとも１つのメンバーを含む請求項１〜１９のいずれか１項に記載の方法。